(57)【要約】      （修正有）【課題】満開時頃まで使用しても保護シートの上面に伸長した花弁を傷めることなく容易に取り外すことができ、かつ花弁が輪台の間に侵入してしまうことを防ぐことができ、強い風等で輪台と花弁が擦れて傷むことを防止することができる花弁保護シートを提供する。【解決手段】ベースシート２２と、該ベースシートの中心部に穿設されかつ花卉の軸芯を挿入する中心開口部３４と、前記中心開口部から前記ベースシートの外周縁部３２ａまで切断線によって切断されて形成されかつ該ベースシートを花卉３６の軸芯３８に装着するための挿通路４０と、を有し、前記ベースシートに複数本の切り離し可能な分離線４２を形成し、前記分離線を切り離すことによって、前記ベースシートを小部分ずつ取り外すことができるようにした。【選択図】図１
0003132798.tif 000002
【実用新案登録請求の範囲】
【請求項１】
ベースシートと、
該ベースシートの中心部に穿設されかつ花卉の軸芯を挿入する中心開口部と、
前記中心開口部から前記ベースシートの外周縁部まで切断線によって切断されて形成されかつ該ベースシートを花卉の軸芯に装着するための挿通路と、
を有し、前記ベースシートを小部分ずつ切り離すことができるように前記ベースシートに複数本の切り離し可能な分離線を形成し、前記分離線を切り離すことによって、前記ベースシートを小部分ずつ取り外すことができるようにしたことを特徴とする花弁保護シート。
【請求項２】
前記分離線が切り込み線とつなぎ部とを交互に形成することによって構成されることを特徴とする請求項１記載の花弁保護シート。
【請求項３】
前記分離線が、前記ベースシートの中心開口部から前記ベースシートの外周縁部方向に放射状に形成された複数本の放射状分離線と、前記ベースシートの外周辺部に形成された円弧状分離線とを含むことを特徴とする請求項１又は２記載の花弁保護シート。
【請求項４】
前記分離線が、前記ベースシートの中心開口部から前記ベースシートの外周縁部方向に放射状に形成された複数本の放射状分離線であることを特徴とする請求項１又は２記載の花弁保護シート。
【考案の詳細な説明】
【技術分野】
【０００１】
本考案は、花卉の花弁、特に菊花の花弁を効果的に保護することのできる新規な花弁保護シートに関する。
【背景技術】
【０００２】
近年、菊花のうちでも、大菊はその鑑賞価値が高く、各種の競技会が各所で催されているように、愛好者も増えその栽培も年々盛んになってきている。その栽培においては多くの労力と時間が費され、そのうち出来ばえのよいものだけが切り花又は鉢物として出品されるが、出品者にとって開花から出品まで、特に競技会への搬入のための輸送中における開花した花弁の損傷が大きな問題であった。
【０００３】
このような開花した菊花を出品する際は、例えば、図１０に示すような植木鉢１０等に支柱１２を立て菊の茎１４が折れたりするのを防いでいる。そして、開花した花弁１８のすぐ下に針金等でつくられた輪台２０を支柱１２に固定しておくことにより花弁１８の保護を行なっている。
【０００４】
このような輪台２０を利用しても輸送中に花弁が輪台２０と接触したときに花弁の損傷が起こって、花腐れの原因となったり、花弁の脱落が起こったりすることにより菊花の価値や品位が著しく低下し、花弁の調整のための手入れに多くの時間を費やすことになり、出品者にとって大きな問題であった。
【０００５】
上記のような不都合を回避することを目的として、図１１に示したように、略円形乃至略矩形のベースシート２２の略中心に小穴２４と、該小穴２４より周辺に向かって延びる一条の切れ目２６とを設け、かつ該ベースシート２２が通気度１．０秒以内でかつ剛軟度１００ｍｇ以下の不織布から形成されている花弁の保護シート２８が既に提案されている（特許文献１）。この提案された保護シート２８によれば、花卉を輸送する際等に発生する花弁の損傷を著しく減少する効果があり、出品者から望まれている開花時とほぼ同程度に花卉、特に菊花の花弁の状態及び品位を良好に保ちうるので、出品に際して殆ど手入れを要しないという大きな利点を有しており、広く利用されているのが現状である。
【０００６】
この保護シート２８の取り付けは、蕾が開きかけ一番外側の花弁が伸びだした頃、花首の数ｃｍ下に輪台２０を付け、その上に切れ目２６を介して茎１４を小穴２４に挿通させて保護シート２８を載置することによって行われるので、取付け作業については特別の問題は生じない。しかしながら、花弁が保護シート２８の上を伸長し十分なる開花状態となって、例えば、菊花の展示会において菊花の花弁を展示する際には、この保護シート２８は、一般的には輪台２０から取り外す必要がある。ところが、一旦取り付けた保護シート２８を取り外すには、再び切れ目２６を介して茎１４を小穴２４から外すことになるが、当該保護シート２８の上面に花弁が十分に伸長して配置されているので、保護シート２８を取り外す際に伸長した花弁を傷めることが頻繁に発生してしまい、従来の保護シート２８の大きな問題点とされていた。この従来の保護シート２８を使用する場合には、取り外す際に花弁を傷めることを予め想定して、花弁が満開になる前に保護シート２８を取り外して花弁の傷みを少なくするというような対策も講じられるが、この場合には保護シート２８の上面を利用した花弁の十分な伸長が行えないという不利が生じる。
【特許文献１】実開昭５９−１５６４５１号公報
【考案の開示】
【考案が解決しようとする課題】
【０００７】
本考案は、上記した従来の保護シート２８の問題点に鑑みなされたもので、保護シートの上面に伸長した花弁を傷めることなく保護シートの取り外しを簡単な作業で行えるので、花弁の満開時頃まで保護シートを使用してもその取り外しに際して花弁を傷めることなく容易に取り外すことができ、かつ花弁の成長中において花弁が輪台の間に侵入してしまうことを防ぐことができ、また輸送中、強い風等で輪台と花弁が擦れて傷むことを防止することができるようにした新規な花弁保護シートを提供することを目的とする。
【課題を解決するための手段】
【０００８】
上記の目的を達成する為に、本考案の花弁保護シートは、ベースシートと、該ベースシートの中心部に穿設されかつ花卉の軸芯を挿入する中心開口部と、前記中心開口部から前記ベースシートの外周縁部まで切断線によって切断されて形成されかつ該ベースシートを花卉の軸芯に装着するための挿通路と、を有し、前記ベースシートを小部分ずつ切り離すことができるように前記ベースシートに複数本の切り離し可能な分離線を形成し、前記分離線を切り離すことによって、前記ベースシートを小部分ずつ取り外すことができるようにしたことを特徴とする。
【０００９】
前記分離線が切断線とつなぎ部とを交互に形成することによって構成されるのが好ましく、１本の切断線の両端部につなぎ部を形成する構成とするのがさらに好ましい。      
【００１０】
前記分離線が、前記ベースシートの中心開口部から前記ベースシートの外周縁部方向に放射状に形成された複数本の放射状分離線と、前記ベースシートの外周辺部に形成された円弧状分離線とを含む構成とするのが好ましい。
【００１１】
前記分離線を、前記ベースシートの中心開口部から前記ベースシートの外周縁部方向に放射状に形成された複数本の放射状分離線のみの構成、即ち前記円弧状分離線を省略する構成とすることもできる。
【考案の効果】
【００１２】
本考案の花弁保護シートは、輪台の上に載置することによって花弁の伸長を効果的に補助することができる上、輪台から取り外す時には、切り込みと切り込みの間の繋ぎ部分を手でちぎるか又はカッター等の切断器具によって切断して分離し、この分離された小部分を順次外すことによって、花弁を殆ど傷めることなく、取り外すことができ、従って花弁の満開時頃まで保護シートを使用してもその取り外しに際して花弁を傷めることなく容易に取り外すことができ、また輸送中、強い風等で輪台と花弁が擦れて傷むことを防止することができるという効果を奏するものである。
【考案を実施するための最良の形態】
【００１３】
以下に本考案の実施の形態を添付図面中、図１−図９に基づいて説明するが、本考案の技術思想から逸脱しない限りこれらの実施の形態について種々の変更又は変形が可能なことは言うまでもない。
【００１４】
図１は本考案の花弁保護シートの一つの実施の形態を示す平面図である。図２は本考案の花弁保護シートを花弁に取付けた状態の一例を示す摘示斜視図である。図３は図２の花弁保護シートを花弁に取付けた状態を側面から見た状態を一部に仮想線を用いて示す側面説明図である。図４は輪台に本考案の花弁保護シートを取り付けた状態を示す摘示説明図である。図５は図１の花弁保護シートのつなぎ部分を切り離しこの分離された小部分を外した状態を示す説明図である。図６は本考案の花弁保護シートの他の実施の形態を示す平面図である。図７は図６の花弁保護シートの繋ぎ部分を切り離しこの分離された小部分を外した状態を示す説明図である。図８は本考案の花弁保護シートの別の実施の形態を示す平面図である。図９は本考案の花弁保護シートのさらに別の実施の形態を示す平面図である。
【００１５】
図１において、符号３０は本考案に係る花弁保護シートである。前記花弁保護シート３０はベースシート３２を有している。該ベースシート３２の中心部には、中心開口部３４が穿設されており、該中心開口部３４には花卉３６の軸芯３８が挿入される。
【００１６】
符号４０は挿通路で、前記中心開口部３４から前記ベースシート３２の外周縁部３２ａまで切断されることによって形成されかつ該ベースシート３２を花卉３６の軸芯３８に装着する作用を行う。該挿通路４０は、図示例では切断端部４０ａ，４０ｂによって形成された扇形状の挿通空間を有する場合を示したが、図１１に示した従来の保護シート２８の場合における切れ目２６のように単なる切断線であっても同様の作用を示すが、後述するように輪台に取り付ける際に花弁保護シート３０を傘状に固定して載置する場合には扇形状の幅の広い挿通路４０とした方が傘状とし易いという利点がある。
【００１７】
符号４２は前記ベースシート３２に形成された切り離し可能な複数本の分離線で、前記分離線４２を切り離すことによって、前記ベースシート３２を複数の扇形状小部分３２ｂ及び環状乃至複数の円弧状小部分３２ｃとして取り外し容易に分解することができる。前記扇形状小部分３２ｂの形成個数は複数個であればよいが、２〜１０個程度が好ましく、４〜８個がさらに好ましい。
【００１８】
前記分離線４２は、前記ベースシート３２の中心開口部３４から放射状に形成された複数本の放射状分離線４２ａと、前記ベースシート３２の外周縁部３２ａ近傍に形成された円弧状の分離線４２ｂとを含んでいる。
【００１９】
前記分離線４２は切り込み線４３（４３ａ、４３ｂ）とつなぎ部分４４（４４ａ、４４ｂ、４４ｃ）とを交互に形成することによって構成される。前記切り込み線４３とつなぎ部分４４との配置については特別の限定はないが、花弁保護シート３０の使用中には構造的に安定しており、花弁保護シート３０を取り外す際には切り離し易い構造とするのが好適である。
【００２０】
例えば、図１に示したように、前記分離線４２は、前記ベースシート３２の中心開口部３４から中心つなぎ部分４４ｂを介して長尺の放射状切り込み線４３ａを形成しかつ外周縁部つなぎ部分４４ａを残して形成された複数本の放射状分離線４２ａと、前記ベースシート３２の外周縁部３２ａ近傍に互いに外周縁部つなぎ部分４４ａを介して位置しかつ前記放射状切り込み線４２ａと外周縁部つなぎ部分４４ａを介して位置するように形成された長尺の円弧状切り込み線４３ｂからなる円弧状分離線４２ｂとを含む構成とすることができる。４４ｃは挿通路つなぎ部分で、切断端部４０ａ，４０ｂと円弧状の切り込み線４２ｂとの間に位置している。
【００２１】
前記ベースシート３２を構成する材料としては特別の限定はないが、吸水性がないか又は少なく、太陽熱等で温度の急変のない材料によるシート又は不織布シート等を用いるのが適当であり、発泡プラスチック製の柔らかい物質が最もよく、発泡スチロール、発泡ポリスチレン、発泡ポリプロピレン、発泡ポリ塩化ビニル等を使用することが可能である。使用する発泡プラスチックの発泡率は８倍〜３０倍が好ましい。ベースシート３２のサイズは花弁の大きさに合わせて適宜調整すればよいが、例えば外径が２００〜２５０ｍｍφで、中心開口部３４が３０〜４０ｍｍφ程度であり、厚さは１ｍｍ〜４ｍｍ程度が好適である。
【００２２】
上記構成により、その作用を説明する。まず、蕾が開きかけた一番外側の弁が伸びだした頃、花首の数ｃｍ下に輪台４６を取付け、該輪台４６の上に花弁保護シート３０を載置し、ベースシート３２の切断端部４０ａ，４０ｂの部分を適当な寸法で重ね合わせ、その重ね合わせ部分の外周端縁部を固定手段、例えばゼムクリップ４８等で固定する。この状態では図２〜図５に示されるように、花弁保護シート３０は傘状となり、花弁３６ａは花弁保護シート３０の上面を滑るように伸長する。ここまでの作用は従来の保護シート２８の作用とあまり変更はない。
【００２３】
本考案の花弁保護シート３０の利点は、花弁保護シート３０を輪台４６から外すときにある。即ち、本考案の花弁保護シート３０を外す場合には、分離線４２を切り離せばよいが、図１の花弁保護シート３０について言えば、まずゼムクリップ４８等の固定手段を取り外し、次に外周縁部つなぎ部分４４ａ、中心つなぎ部分４４ｂ及び挿通路つなぎ部分４４ｃを作業者が手で千切るか又はカッター等の刃物で切断し、扇形のベースシート分離部分３２ｂとし同時に環状乃至複数の円弧状のベースシート分離部分３２ｃとする。ついで、環状乃至複数の円弧状のベースシート分離部分３２ｃを取り外し、さらに輪台４６の端部を少し下方に傾けながら、前記分離されたベースシート分離部分３２ｂ及び３２ｃを斜め下方にゆっくり引き抜くことによってベースシート分離部分３２ｂを外すことができるので、花弁３６ａを傷める虞は全くない。このベースシート３２の分解手順は一例を挙げたもので、作業者の都合によって適宜手順を変更できることはいうまでもない。従って、本考案の花弁保護シートを花弁の満開頃まで使用しても花弁の傷みが生ずることはない。また、本考案の花弁保護シートによれば、輸送中、強い風等で輪台４６と花弁３６ａが擦れたりして傷むことを防止することが可能である。
【００２４】
図１〜図５の例では、分離線４２として、放射状分離線４２ａ及び円弧状分離線４２ｂを設けた場合を示したが、円弧状分離線４２ｂを省略することも可能であり、その実施の形態を図６及び図７によって説明する。図６及び図７において、図１〜図５における部材と同一の部材は同一の符号で示した。図６及び図７の構成においては、図１〜図５との相違点は円弧状切り込み線が存在しないだけで、その他の構成は全く同様であり、またその作用効果も円弧状切り込み線に関する作用効果がないだけで同様に扇形のベースシート分離部分３２ｂを取り外す作業だけであるのでそれだけ作業が簡易となるという利点がある。
【００２５】
図１〜図７においては、分離線４２の例として、一本の長尺の切り込み線４３（４３ａ、４３ｂ）の両端につなぎ部分４４（４４ａ、４４ｂ、４４ｃ）を設けた例を示したが、分離線４２（４２ａ、４２ｂ）としては、切り込み線４３とつなぎ部分４４とを交互に形成する構成とすればよいもので、例えば、図８や図９に示すように、複数の短尺の切り込み線４３（４３ａ、４３ｂ）を設け、その間につなぎ部分４４（４４ａ、４４ｂ）を形成する構成を採用することも可能である。
【図面の簡単な説明】
【００２６】
【図１】本考案の花弁保護シートの一つの実施の形態を示す平面図である。
【図２】本考案の花弁保護シートを花弁に取付けた状態の一例を示す摘示斜視図である。
【図３】図２の花弁保護シートを花弁に取付けた状態を側面から見た状態を一部に仮想線を用いて示す側面説明図である。
【図４】輪台に本考案の花弁保護シートを取り付けた状態を示す摘示説明図である。
【図５】図１の花弁保護シートのつなぎ部分を切断分離しこの分離された小部分を外した状態を示す説明図である。
【図６】本考案の花弁保護シートの他の実施の形態を示す平面図である。
【図７】図６の花弁保護シートのつなぎ部分を切断分離しこの分離された小部分を外した状態を示す説明図である。
【図８】本考案の花弁保護シートの別の実施の形態を示す平面図である。
【図９】本考案の花弁保護シートのさらに別の実施の形態を示す平面図である。
【図１０】従来の鉢植えの菊花を輪台によって保護した状態を示す説明図である。
【図１１】従来の花弁保護シートの一例を示す平面図である。
【符号の説明】
【００２７】
１０：植木鉢、１２：支柱、１４：茎、１８：花弁、２０：輪台、２２：ベースシート、２４：小穴、２６：切れ目、２８：保護シート、３０：花弁保護シート、３２：ベースシート、３２ａ：外周縁部、３２ｂ：扇形状小部分、扇形状ベースシート分離部分、３２ｃ：円弧状小部分、円弧状ベースシート周縁部分、３４：中心開口部、３６：花卉、３６ａ：花弁、３８：軸芯、４０：挿通路、４０ａ，４０ｂ：切断端部、４２：分離線、４２ａ：放射状分離線、４２ｂ：円弧状分離線、４３、４３ａ、４３ｂ：切り込み線、４４、４４ａ、４４ｂ、４４ｃ：つなぎ部分、４６：輪台、４８：ゼムクリップ。
【図１】
0003132798.tif 000003
【図２】
0003132798.tif 000004
【図３】
0003132798.tif 000005
【図４】
0003132798.tif 000006
【図５】
0003132798.tif 000007
【図６】
0003132798.tif 000008
【図７】
0003132798.tif 000009
【図８】
0003132798.tif 000010
【図９】
0003132798.tif 000011
【図１０】
0003132798.tif 000012
【図１１】
0003132798.tif 000013